(57)【要約】【課題】  本発明は、リモコンコードをネットワークを利用して送信し、遠隔にある機器をコントロールする場合に、その機器をより正確に制御すると共に、ネットワーク伝送帯域を有効利用する。【解決手段】  本発明は、符号化処理された映像信号および音声信号をネットワークを介して受信すると共に、そのネットワークを介してリモコンコードを送信する伝送部２１９と、この伝送部で受信した映像信号および音声信号を出力する出力部２２０と、リモコン信号を受光するリモコン受光部２２３と、リモコン受光部より受光したリモコン信号がリモコンコードであるか否かを判断し、リモコンコードであると判断された場合にそのリモコンコードを伝送部２１９よりネットワークを介して送信させるリモコンコード処理部２２４とを備える。【選択図】      図２
2006157370.tif 000002
【特許請求の範囲】
【請求項１】
符号化処理された映像信号および音声信号をネットワークを介して受信すると共に、そのネットワークを介して第１のリモコンコードを送信する伝送部と、
この伝送部で受信した映像信号および音声信号を出力する出力部と、
リモコン信号を受光するリモコン受光部と、
前記リモコン受光部より受光したリモコン信号がリモコンコードであるか否かを判断し、リモコンコードであると判断された場合にそのリモコンコードを前記伝送部より前記ネットワークを介して送信させるリモコンコード処理部と、
を備えたことを特徴とするネットワーク型映像制御装置。
【請求項２】
前記符号化処理された映像信号および音声信号を無線電波通信し、かつ前記第１のリモコンコードを送信するためのアンテナを備え、前記伝送部はそのアンテナを用いた無線ネットワークを介して前記符号化処理された映像信号および音声信号の受信および前記第１のリモコンコードの送信を行うことを特徴とする請求項1記載のネットワーク型映像制御装置。
【請求項３】
前記出力部は、前記映像信号を表示出力する表示モニタおよび前記音声信号を出力するスピーカとを備えることを特徴とする請求項１記載のネットワーク型映像制御装置。
【請求項４】
符号化処理された映像信号および音声信号をネットワークを介して受信するステップと、
受信した映像信号および音声信号を出力するステップと、
リモコン信号を受光するステップと、
受光したリモコン信号を解釈し、リモコンコードであるか否かを判断するステップと、
リモコンコードであると判断された場合にそのリモコンコードを伝送部より前記ネットワークを介して送信するステップと、
を備えたことを特徴とするネットワーク型映像制御方法。
【発明の詳細な説明】
【技術分野】
【０００１】
本発明は、ネットワークを介して映像信号及び／または音声信号を送受信するＡＶ伝送システムに関し、特にネットワークを介してリモコン信号を送受信するネットワーク型映像制御装置およびその制御方法に関するものである。
【背景技術】
【０００２】
近年、無線ＬＡＮ（Local Area Network）等の規格やデバイスの充実に伴って、テレビやビデオの映像をデジタル圧縮して電波で送り出すＡＶ（Audio video）送信機と、家庭内の別の部屋で受信できるＡＶ受信機とがセットとなったネットワークＡＶ伝送システムが提案されている。これらは、ＩＥＥＥ８０２．１１ａやＩＥＥＥ８０２．１１ｂ等の無線伝送方式により、例えばＭＰＥＧ２等のデジタル圧縮データを用いることで、１０Ｍｂｐｓ以下の帯域での映像音声データの転送を可能にしている。
【０００３】
また、それに伴って、映像ソースの機器コントロールをリモートで行うために、映像を入力しデジタル圧縮して送信するＡＶ送信機に赤外線リモコン装置を付随させて、離れた部屋などから映像ソースのコントロールを可能にしている。リモコンコードは、別途用意されたリモコン端末から発信され、ＡＶ受信機によって受信後、無線を通じてＡＶ送信機へ送られる。これによって、離れた部屋からの映像ソースの例えばチャネルや、映像再生、停止などの機器コントロールを行うことができる。（特許文献１参照）
【特許文献１】特開２００３−２１９４８６号
【発明の開示】
【発明が解決しようとする課題】
【０００４】
しかしながら、従来の装置では、ＡＶ受信機からＩＰパケット化されたリモコンコードをＡＶ送信機にネットワークを介して送信する際、リアルタイムで確実にＡＶ送信機側にリモコンコードを伝送するために、そのネットワークのデータ伝送のための帯域の一部をリモコンコード専用として割り当て、常時リモコン信号を継続送信し続けていた。これにより、ＡＶ送信機側で有効なリモコン信号を検出したときには、ストレスなくＡＶ送信機側に接続されたＶＴＲ等の映像機器をコントロールできるが、無効なリモコン信号がネットワーク伝送帯域の一部を常に占有することが多く、ネットワークの伝送帯域を有効に活用することができなかった。
【０００５】
また、リモコンコード用に割り当てられた帯域では、常に無効のリモコンコード、例えば「００００００」が送信されているため、ネットワーク上で発生したノイズ等の影響でこのコードが変化し、有効なリモコン信号としてＡＶ送信機側で判断されたケースも考えられ、ＡＶ送信機側に接続されたＶＴＲ等を誤動作させる可能性もある。
【０００６】
そこで本発明の目的は、リモコン信号をネットワークを利用して送信し、遠隔にある機器をコントロールする場合に、その機器をより正確に制御することのできると共に、ネットワークのデータ伝送帯域を有効利用することが可能なネットワーク型映像制御装置およびその制御方法を提供することにある。
【課題を解決するための手段】
【０００７】
上記目的を達成するために、請求項１に係る発明では、符号化処理された映像信号および音声信号をネットワークを介して受信すると共に、そのネットワークを介して第１のリモコンコードを送信する伝送部と、この伝送部で受信した映像信号および音声信号を出力する出力部と、リモコン信号を受光するリモコン受光部と、前記リモコン受光部より受光したリモコン信号がリモコンコードであるか否かを判断し、リモコンコードであると判断された場合にそのリモコンコードを前記伝送部より前記ネットワークを介して送信させるリモコンコード処理部とを備えたネットワーク型映像制御装置を提供する。
【発明の効果】
【０００８】
本発明によれば、リモコン信号をネットワークを利用して送信し、遠隔にある機器をコントロールする場合に、その機器をより正確に制御することのできると共に、ネットワークのデータ伝送帯域を有効利用することが可能なネットワーク型映像制御装置およびその制御方法を提供することができる。
【発明を実施するための最良の形態】
【０００９】
以下に本発明の実施の形態について図面に基づいて説明する。
図１は本発明のＡＶ伝送システムの第一の実施の形態を示す図である。
部屋１０１には、ＴＶ放送および外部接続機器から入力された映像および音声を出力する無線伝送のためのアンテナ１０３を有した映像および音声を送信するネットワークＴＶ１０４と、ネットワークＴＶ１０４と接続されネットワークＴＶ１０４に映像および音声を出力するＣＳチューナー１０５と、ネットワークＴＶと接続され、ネットワークＴＶからＣＳチューナー１０５をリモートコントロールするための赤外線発光器１０６とが設けられている。部屋１０２には、ＴＶ放送および外部接続機器から入力された映像および音声を出力するとともに無線伝送のためのアンテナ１０７を有した映像および音声を受信するネットワークＴＶ１０８と、ＣＳチューナー１０５をリモートコントロールするためのリモコン１０９とが設けられている。
【００１０】
図２はネットワークＴＶ１０４およびネットワークＴＶ１０８の構成を示すブロック図である。
まず、部屋１０１に設置されたネットワークＴＶ１０４は、図示しないＴＶアンテナからのＴＶ放送波を入力し、選局するためのチューナ部２０２と、チューナ部２０２で選局された放送波を復調する復調部２０３と、外部機器であるＣＳチューナー１０５からの映像および音声信号を入力する外部入力端子２０４と、この外部入力端子を介して受信した映像信号および音声信号を入力する映像音声入力部２０５と、これら映像信号および音声信号を入力して映像信号と音声信号とに切り替える映像音声切替部２０６、２０９と、映像音声切替部２０６よりの映像信号に基づいて映像を表示するモニタ２０７と、映像音声切替部２０６よりの音声信号に基づいて音声を出力するスピーカ２０８と、映像音声切替部２０９よりの映像および音声信号をＭＰＥＧ２等の符号化データとして符号化処理する符号化処理部２１０と、符号化処理部２１０で符号化された映像および音声信号のデジタル信号を無線伝送方式の形式に変換し、無線アンテナ２１２を介して無線ネットワークに出力する伝送部２１１と、ネットワークＴＶ１０４用のリモコンからのリモコン信号を受光するリモコン受光部２１５と、このリモコン受光部２１５からのリモコン信号を解釈してリモコンコードに変換し、ネットワークＴＶ１０４のモニタ２０７やスピーカ２０８等の各種制御を実行処理させると共に、無線アンテナ２１２から受信したリモコン信号を伝送部２１１を介して受信してリモコンコードに変換し、さらにそのコードをリモコン信号として出力するための赤外線発光器接続端子２１６に出力するリモコンコード処理部２１３とから構成されている。リモコンコード処理部２１３は、伝送部２１１からの入力したリモコン信号のリモコンコードが自機器（ネットワークＴＶ１０４）への制御コマンドか否か、および自機器を制御して良いリモコンコードかどうかを判断する機能を備え、自機器のリモコンコードでない場合には赤外線発光器接続端子２１６を介してそのリモコンコードに応じたリモコン信号を赤外線発光器１０６から出力させてＣＳチューナ１０５等の外部機器を制御し、自機器に対するリモコンコードであり、かつ予め処理実行が禁止されていないリモコンコードの場合には自機器を制御する。逆に自機器に対するリモコンコードで処理実行が禁止されている場合にはリモコン信号に対する処理実行は行わない。
【００１１】
次に、部屋１０２に設置されるネットワークＴＶ１０８の構成について説明する。ネットワークＴＶ１０８は、無線アンテナ２１８と、この無線アンテナ２１８に接続され、符号化処理された映像信号および音声信号を受信するとともにリモコン信号を送信する伝送部２１９と、伝送部２１９で受信した映像信号および音声信号を復号する復号処理部２２０と、この復号処理部２２０で復号された映像信号に基づいて映像を表示するモニタ２２１と、同じく復号処理部２２０で復号された音声信号に基づいて音声を出力するスピーカ２２２と、リモコンからのリモコン信号を受光するリモコン受光部２２３と、このリモコン受光部２２３からのリモコン信号をリモコンコードに解釈変換して伝送部２１９に出力、或いはネットワークＴＶ１０８のモニタ２２１やスピーカ２２２等の各種制御を実行するための制御出力を行うリモコンコード処理部２２４とを備えている。
【００１２】
このように構成されたＡＶ伝送システムにおいて、ＣＳチューナー１０５の映像および音声を部屋１０２に設置されたネットワークＴＶ１０８にて視聴する手順を説明する。
【００１３】
ネットワークＴＶ１０４では、図示しないＴＶアンテナからＴＶアンテナ端子２０１を介して入力されチューナー部２０２によりＴＶ放送が選局され、復調部２０３により映像および音声がそれぞれ復調される。一方、外部映像入力端子２０４を介してＣＳチューナー１０５から映像および音声が入力される。それぞれ入力された２系統の映像および音声は、映像音声切替部２０６により切り替えられ、それぞれモニタ２０７およびスピーカー２０８から出力されて視聴される。また、２系統の映像および音声は、無線伝送のために映像音声切替部２０９により切り替えられ、符号化処理部２１０においてデジタル信号に変換され、ＭＰＥＧ２等の符号化データとして符号化処理される。符号化処理されたデータは伝送部２１１により無線伝送方式の形式に変換され、無線アンテナ２１２により無線送信される。無線伝送方式としては、例えばＩＥＥＥ８０２．１１ａ、ＩＥＥＥ８０２．１１ｂ等がある。
【００１４】
ネットワークＴＶ１０８では、ネットワークＴＶ１０４から送信された無線電波が無線アンテナ２１８を介して伝送部２１９により受信され、符号化データが取り出される。取り出された符号化データは復号処理部２２０によりＭＰＥＧ２等の符号化データが元のデジタル信号に戻された後、アナログの映像および音声信号に変換され、モニタ２２１およびスピーカー２２２から出力されて視聴される。
【００１５】
次に、部屋１０２にあるリモコン１０９を用いて部屋１０１に設置されたネットワークＴＶ１０４またはＣＳチューナー１０５を遠隔操作する手順を説明する。
ネットワークＴＶ１０８では、リモコン１０９により発光された赤外線信号はリモコン受光部２２３を介してリモコンコード処理部２２４に入力される。リモコンコード処理部２２４では入力されたリモコンコードを解釈する。リモコンコードは、その先頭を示すコード「ＬＬＬＬＨＬ（００００１０）」と、電源オン／オフ等を示す実際の制御種別を示すコード、例えば「ＨＬＨＬＬＨ（１０１００１）」の組み合わせである「ＬＬＬＬＨＬＨＬＨＬＬＨ（００００１０１０１００１）」というように表現されるため、リモコン信号の到来を先頭コードである「ＬＬＬＬＨＬ（００００１０）」で検出し、このコードを検出した場合に、その後の制御コード「ＨＬＨＬＬＨ（１０１００１）」を解釈し、ネットワークＴＶ１０８自身へのコマンドであった場合は自身の各部に出力され、ネットワークＴＶ１０８自身へのコマンドでない場合は伝送部２１９により無線伝送方式の形式に変換され無線アンテナ２１８を介して無線送信される。
【００１６】
ネットワークＴＶ１０４では、無線アンテナ２１２を介して伝送部２１１によりリモコン信号が受信されると、リモコンコード処理部２１３によりリモコンコードが解釈され、解釈された内容がネットワークＴＶ１０４自身への操作であった場合、ネットワークＴＶ１０４の内部に指示されて処理実行されるが、あらかじめソフトウェア等により指定しておいたリモコン操作については内部への処理実行を禁止する。リモコンコードがネットワークＴＶ１０４自身でない場合は赤外線発光器接続端子２１６を介して赤外線発光器１０６に出力される。出力されたリモコンコードは赤外線発光器１０６から赤外線が発光されると、ＣＳチューナー１０５が制御される。
【００１７】
次に、第一の実施の形態のＡＶ伝送システムにおいてリモコンによる機器制御の動作について図３を参照して説明する。
ステップ３０１において、部屋１０２のリモコン１０９を操作するとリモコン受光部  ２２３により受光される。ステップ３０２にて、リモコンコード処理部２２４によりリモコン信号の先頭コード「ＬＬＬＬＨＬ（００００１０）」の検出有無がチェックされ、検出された場合には、それに続く制御コードが解釈される。ステップ３０３において制御コードが自機器のコードであった場合は、ステップ３０４に進み制御コードの示す内容を実行する。例えば、ネットワークＴＶ１０８に付属のリモコンにより音量アップボタンが押された場合は、音量アップの処理を行う。ステップ３０３において制御コードが自身のコードでなかった場合は、ステップ３０５に進み、先頭コードと制御コードを合わせたリモコンコードをそのまま伝送部２１９および無線アンテナ２１８を介して無線電波としてネットワークＴＶ１０４へ送信する。
【００１８】
ステップ３０６において、ネットワークＴＶ１０８は無線アンテナ２１２および伝送部２１１により受信された無線電波からリモコンコードを取得する。
ステップ３０７においてリモコンコード処理部２１３により取得したリモコンコードを解析し、その結果ネットワークＴＶ１０４に対するコードであった場合はステップ３０８に進み、そうでなかった場合はステップ３０８に進む。ステップ３０８において、リモコンコード処理部２１３は赤外線発光器接続端子２１６を介してリモコンコードを赤外線発光器１０６に出力すると、赤外線発光器１０６から部屋１０２のリモコン１０９と同等の赤外線信号が発光され、外部に接続された機器（本実施例ではＣＳチューナー１０５）が制御される。ステップ３０９において、取得したリモコンコードが指定されていたリモコンコードであった場合、ステップ３１０においてそのリモコンコードの処理実行を禁止し、そうでない場合は、ステップ３１１においてネットワークＴＶ１０４の内部に指示して処理実行される。
【００１９】
以上により、ネットワークＴＶ１０８の伝送部２１９からは、リモコンコード処理部２２４にてリモコンコードの先頭コードを受信検出したときのみその制御コードを含めたリモコンコードをネットワークを介してネットワークＴＶ１０４の伝送部２１１に向けて送信するようにしたので、無効のリモコンコードによりネットワーク帯域を占有することがなく、またネットワーク上のノイズ等によりネットワークＴＶ１０４に接続されたＣＳチューナ１０５の誤動作の可能性を低減させることができる。
【００２０】
部屋１０２のリモコン１０９からネットワークを介してネットワークＴＶ１０４に受信されたリモコンコードが、ネットワークＴＶ１０４以外の機器である場合とネットワークＴＶ１０４に対するリモコンコードでありかつ特に指定されていない場合についてはリモコン制御を実行し、ネットワークＴＶ１０４に対するリモコンコードでありかつ指定されたリモコンコードである場合はリモコン制御を実行しないように制御することができる。例えば、ネットワークＴＶ１０４の音量アップコード、音量ダウンコードを実行しないように指定しておくと、部屋１０２からリモコン１０９としてネットワークＴＶ１０４に付属のリモコンを用いた場合、遠隔操作による音量操作を禁止することができる。また、部屋１０２からネットワークＴＶ１０４のリモコンコードがプリセットされたＣＳチューナー１０５に付属のリモコンを用いた場合およびネットワークＴＶ１０４のリモコンコードを学習した学習リモコンを用いた場合でもネットワークＴＶ１０４のリモコンコードを発光することができ、この場合でも同様に遠隔操作による音量操作を禁止することができる。
【００２１】
通常、部屋１０２からネットワークを介して部屋１０１に設置したネットワークＴＶ１０４の音量操作を行うことは考えにくく、本実施例を用いることで、部屋１０１においてネットワークＴＶ１０４により他の映像および音声コンテンツを視聴している他の視聴者への迷惑を防止することができる。
【００２２】
尚、本発明は上述した実施の形態に限るものではなく、種々の変形が可能である。
第一の実施の形態では、映像音声切り替え部がネットワークＴＶ１０４での視聴用とネットワーク伝送用とで２つ備えられているが、これらを兼用して１つとして適用できることは言うまでもない。
【００２３】
また、赤外線発光器１０６をネットワークＴＶ１０４に内蔵しても適用することができる。
また、ＣＳチューナー１０５はＶＣＲ等他の映像・音声出力機器でもよく、映像または音声一方を出力する機器でもよい。また、ＣＳチューナー１０５等の外部接続機器は特に接続しなくても適用することができることは言うまでもない。
【００２４】
第一の実施の形態において、無線伝送部分をネットワークＴＶの外付けとし、既存のＴＶ等と接続して用いる構成とすることもできる。
図４は、図２の構成から無線伝送部分を外付けとした例である。
ネットワークＴＶ１０４の無線伝送部分を外付け化した無線送信ユニット８０１は、映像・音声入力端子８０１、符号化部２１０、伝送部２１１、無線アンテナ２１２、リモコンコード処理部２１３、赤外線接続端子２１６から構成される。ネットワークＴＶ１０８の無線伝送部分を外付け化した無線受信ユニット８０２は、無線アンテナ２１２、伝送部２１９、復号処理部２２０、リモコン受光部２２３、リモコンコード処理部２２４、映像・音声出力端子８０４から構成される。尚、無線伝送部分の外付け化はどちらか一方としてもよい。
【００２５】
第一の実施の形態において、リモコンは赤外線を用いるものに限らず、ＵＨＦ帯等の電波を使用するものでもよい。また、部屋１０１と部屋１０２は無線に限らず、Ethernet（登録商標）等の有線接続方式を用いることもできる。
【図面の簡単な説明】
【００２６】
【図１】本発明にかかるＡＶ伝送システムの第一の実施の形態の構成を示す概要図である。
【図２】図１のＡＶ伝送システムにおけるネットワークＴＶの構成を示すブロック図。
【図３】本発明のリモコンによる機器制御の動作を説明するフローチャートである。
【図４】本発明の無線伝送部分をネットワークＴＶの外付け化した場合の無線送信ユニットおよび受信ユニットの構成図である。
【符号の説明】
【００２７】
１０３・・・無線アンテナ、１０４・・・ネットワークＴＶ、１０５・・・ＣＳチューナー、１０６・・・赤外線発光器、１０７・・・無線アンテナ、１０８・・・ネットワークＴＶ、１０９・・・リモコン、２０２・・・チューナ部、２０５・・・映像音声入力部、２０７・・・モニタ、２０８・・・スピーカ、２１１・・・伝送部、２１２・・・無線アンテナ、２１３・・・リモコンコード処理部、２１５・・・リモコン受光部、２１６・・・赤外線発光器接続端子、２１８・・・無線アンテナ、２１９・・・伝送部、２２１・・・モニタ、２２２・・・スピーカ、２２４・・・リモコンコード処理部、２２３・・・リモコン受光部。
【図１】
2006157370.tif 000003
【図２】
2006157370.tif 000004
【図３】
2006157370.tif 000005
【図４】
2006157370.tif 000006